(57)【要約】      （修正有）【課題】不活性ガスを使用することなく燃料電池システムの非常停止動作を適切に実行可能な燃料電池システムおよびその運転方法を提供する。【解決手段】燃料電池システム５０は、水素リッチガスを生成する燃料処理器１１と、水素リッチガスを用いて発電する燃料電池１２と、燃料電池１２から排出されたオフガスを燃焼することにより燃料処理器１１に熱を供給する熱供給手段２０と、前記熱供給手段２０に供給する前記オフガスから水分を除去し、前記除去された水分からなる水を溜める水分除去器１５と、熱供給手段２０と水分除去器１５との間の前記オフガスの流路を開閉可能にする第１の開閉手段１８と、開口部７２を有し、内部に溜まった水を、前記開口部７２を介して外部に排出可能な水タンク７１と、を備え、開口部７２から排出した水が水分除去器１５に流れるように、開口部７２は水分除去器１５と連通している。【選択図】  図１
2006147264.tif 000002
【特許請求の範囲】
【請求項１】
原料ガスおよび水蒸気から水素リッチガスを生成する燃料処理器と、
前記水素リッチガスを用いて発電する燃料電池と、
前記燃料電池から排出された前記水素リッチガスを含むオフガスを燃焼することにより前記燃料処理器に熱を供給する熱供給手段と、
前記熱供給手段に供給する前記オフガスから水分を除去し、かつ除去された前記水分からなる水を溜める水分除去器と、
前記熱供給手段と前記水分除去器との間の前記オフガスの流路を開閉可能に構成された第１の開閉手段と、
開口部を有し、内部に溜まった水を、前記開口部を介して外部に排出可能な水タンクと、
を備え、
前記開口部から排出された水が前記水分除去器に流入するように、前記開口部は前記水分除去器と連通している燃料電池システム。
【請求項２】
前記水分除去器と前記開口部との間を連通する第１の通路を開閉可能に構成された第２の開閉手段を備えた請求項１記載の燃料電池システム。
【請求項３】
前記第１の通路は、前記開口部と前記第２の開閉手段との間で上下方向に延びる上下延在部を有する請求項１記載の燃料電池システム。
【請求項４】
前記水分除去器から排出された水を導く凝縮水タンクと、
水中に含有される不純物を除去する不純物除去手段と、
前記凝縮水タンクに溜まった水を、前記不純物除去手段を通過させた後、前記水タンクに供給する水供給手段と、を備えた請求項１記載の燃料電池システム。
【請求項５】
前記水分除去器に溜まった水の水位を検知する水位検知手段を備えた請求項１記載の燃料電池システム。
【請求項６】
前記熱供給手段による前記オフガスの燃焼から発生した燃焼ガスを、大気に放出するための排気口と、
前記上下延在部の途中と連通して、前記排気口を介して大気に開放されるように構成された第２の通路と、
を備えた請求項３記載の燃料電池システム。
【請求項７】
前記第２の通路は、前記上下延在部の途中から水平方向に延びた部分を有する請求項６記載の燃料電池システム
【請求項８】
前記水分除去器から排出された前記水を導く凝縮水タンクを備え、
前記第２の通路は、前記水平方向に延びた部分から前記凝縮水タンクに向けて下方に傾斜するように構成されている請求項７記載の燃料電池システム。
【請求項９】
前記第２の開閉手段は、無通電時に開弁するノーマルオープン型の電磁弁である請求項２乃至８の何れかに記載の燃料電池システム。
【請求項１０】
前記燃料電池は、前記水素リッチガスと酸化剤ガスを用いて発電するものであり
前記酸化剤ガスを前記燃料電池に供給する酸化剤供給手段を備え、
前記酸化剤供給手段により前記燃料電池に供給され、前記燃料電池の内部で消費されずに外部に排出された酸化剤ガスが、前記排気口に導かれる請求項６乃至８の何れかに記載の燃料電池システム。
【請求項１１】
請求項１乃至１０の何れかに記載の燃料電池システムの運転方法であって、
前記水分除去器に前記水タンクの前記開口部から所定量の水が溢れ出た後、前記燃料電池による発電が開始される燃料電池システムの運転方法。
【請求項１２】
前記燃料電池システムは、前記水タンクに水を供給する水供給手段を備え、
前記水供給手段を駆動させることにより前記水タンクにある水が前記開口部から溢れ出る請求項１１記載の燃料電池システムの運転方法。
【請求項１３】
請求項２乃至１０の何れかに記載の燃料電池システムの運転方法であって、
前記燃料電池システムは、前記水タンクに水を供給する水供給手段と、前記水分除去器の内部に溜まった水の水位を検知する水位検知手段と、を備え、
前記水位検知手段から得られた水位が所定の閾値以下であれば、前記第２の開閉手段が開かれ、前記水供給手段を駆動させることにより、前記水分除去器に向けて、前記水位が前記閾値を超えるまで、前記開口部から水が溢れ出て、その後、前記燃料電池による発電が開始される燃料電池システムの運転方法。
【発明の詳細な説明】
【技術分野】
【０００１】
本発明は、燃料電池システムおよびその運転方法に関する。
【背景技術】
【０００２】
燃料電池システムは、燃料電池のアノードに還元剤ガスとして供給される水素リッチな燃料ガスと、それのカソードに酸化剤ガスとして供給される空気とを燃料電池の内部で反応させることにより発電するものである。そして、この燃料ガスは通常、燃料処理器（改質器）の内部の水蒸気改質反応によって都市ガス等の原料ガスと水蒸気から生成されている。
【０００３】
図３に示した燃料電池システム１２０は、こうした既存システムの一例である（特許文献１参照）。
【０００４】
図３によれば、燃料処理器１０１の適所に熱供給手段としてのバーナ１０２が配置され、これにより、バーナ１０２の燃料ガス燃焼より燃料処理器１０１は加熱される。また、燃料処理器１０１の上流側入口１０１ｂには、原料ガス供給手段１０３から供給される原料ガスおよび水蒸気発生器１０４から供給される水蒸気が導かれるように構成されている。更に、上流側入口１０１ｂと原料ガス供給手段５３とを連通する配管の途中に、空気供給手段１０５と不活性ガス供給手段１０６（ここでは、高圧窒素ボンベ１０６ａおよび電磁窒素弁１０６ｂ）とが、接続されている。また、燃料処理器１０１の下流側出口１０１ｃに接続された変成器１０７およびこの変成器１０７の下流側と接続された選択酸化器１０８も設けられている。
【０００５】
燃料電池１０９は、選択酸化器１０８から流出した燃料ガスが導かれるアノード１０９ａと、空気ブロア１１０から流出した酸化剤ガス(空気)が導かれるカソード１０９ｂと、によって構成され、これらのガスをその内部で消費して発電する。
【０００６】
なお、燃料電池システム１２０を構成するこうした機器は、制御装置１１１により適切に制御されている。
【０００７】
ここで、この燃料電池システム１２０の通常停止と非常停止（例えば、停電や機器の故障による停止）に分けて、燃料電池システムの停止動作を説明する。
【０００８】
燃料電池システム１２０の通常停止の際には、不活性ガスを使用することなく、以下の停止動作が実行される。
【０００９】
原料ガス供給手段１０３の燃料処理器１０１への原料ガス供給停止後、水蒸気発生器１０４から供給される水蒸気と、空気供給手段１０５から供給されるパージ用空気とが、この順番に燃料処理器１０１〜変成器１０７〜選択酸化器１０８〜燃料電池１０９のアノード１０９ａ〜排出配管を圧送され、これにより、これらの機器や配管に残留する水素リッチガスが外部に排出される。
【００１０】
一方、燃料電池システム１０２の非常停止の際には、不活性ガス供給手段１０６から供給された不活性ガスにより、燃料処理器１０１〜変成器１０７〜選択酸化器１０８〜燃料電池１０９のアノード１０９ａ〜排出配管に残留する水素リッチガスが外部に排出される。
【００１１】
例えば、燃料電池システム１２０の故障等に起因して水蒸気発生器１０４から水蒸気の供給または空気供給手段１０５からパージ用空気の供給を行えずに、上記の通常停止の動作に従って水素リッチガスを外部に排出させることが不可能な状況にあれば、燃料電池システム１２０の非常停止の一例として、高圧に保たれた窒素を貯蔵する高圧窒素ボンベ１０６ａとノーマルオープン型（無通電時に開弁）の電磁窒素弁１０６ｂとを組合せた不活性ガス供給手段１０６を使用する。
【００１２】
こうして燃料電池システム１２０の非常停止時には、システムへの電源供給を停止させることによって、原料ガス供給手段１０３の燃料処理器１０１への原料ガス供給が自動的に停止できる共にノーマルオープン型の電磁窒素弁１０６ｂが開弁することにより高圧窒素ボンベ１０６ａに封入された高圧状態にある不活性ガス（窒素）が自動的に供給され、これにより、燃料処理器１０１〜変成器１０７〜選択酸化器１０８〜燃料電池１０９のアノード１０９ａ〜排出配管に残留する水素リッチガスを確実に排出させ得る。
【特許文献１】特開２００３−１００３３２号公報
【発明の開示】
【発明が解決しようとする課題】
【００１３】
特許文献１に記載の燃料電池システム１２０には、以下のような不具合がある。
【００１４】
（１）燃料電池システム１２０の非常停止に関する問題
燃料電池システム１２０は、その非常停止時に備えて不活性ガス供給手段１０６として高圧窒素ボンベ１０６ａを備えたシステムであり、この燃料電池システム１２０の通常停止における水蒸気パージおよび空気パージのメリットが充分に活かされているとは言い難い。即ち、家庭用の定置型分散発電および電気自動車用電源並びに可搬型電源等に、この燃料電池システムを使用すると、高圧窒素ボンベ１０６ａのイニシャルコストが嵩み、かつ高圧窒素ボンベ１０６ａを収納するスペース確保により燃料電池システムの小型化が困難で、燃料電池システム１２０の商品性が損なわれる。
【００１５】
その一方、燃料電池システム１２０の非常停止時にその経路内に残留する水素リッチガスを排出することなくそのまま放置すれば、燃料処理器１０１〜変成器１０７〜選択酸化器１０８〜燃料電池１０９のアノード１０９ａ〜排出配管の機器や配管に水素リッチガスが残留して、大気開放されたバーナ１０２から自然対流によってこれらの機器内や配管内に大気中から空気が逆流することになる。
【００１６】
そうすると、次回の燃料電池システムの起動の際に水素ガスと酸素ガス（空気）とが混合した混合ガスにバーナ１０２が点火する可能性があり、逆火（水素は燃焼速度が速いため）等の異常燃焼が引き起こされ、バーナ１０２の周辺の構造部品が変形等のダメージを受ける。
【００１７】
また、仮にバーナ１０２が高温に保たれた状態の場合には、残留する水素リッチガスと大気中から拡散する酸素ガス（空気）がバーナ１０２の高温部位を基点に異常燃焼を引き起こすことも想定される。
【００１８】
勿論、こうした異常燃焼を適切に抑制するため、水素リッチガスをバーナ１０２に導くための排出配管の適所に電磁弁を配置して、燃料電池システムの非常停止時の際に、水素リッチガスが滞留している部位（燃料電池や配管）をバーナ１０２から隔離するように、この排出配管を電磁弁で閉弁することも考えられる。しかしながら、この場合には、残存水の蒸発や未反応ガスの反応進行による体積増加に起因して上記電磁弁の上流側の排出配管の内圧が上昇し、その内圧に耐えるような大型かつ高コストのガスシール機能が必要になる。
【００１９】
（２）燃料電池システム１２０の起動に関する問題
特許文献１に記載に記載されていないが、燃料電池のアノードで消費されなかった水素ガスを含むオフガスは排出配管に送られ、排出配管を流れるオフガスは、その含有された水分（微細な水滴や水蒸気）を除去するように適切に処理された後にバーナに導かれる。
【００２０】
こうしたオフガス中の水分除去を実行する水分除去器は通常、オフガス中の水分除去から得られた凝縮水を溜める容器を有し、この凝縮水にオフガスを外部に逃がさないように水封止の機能を持たせている。
【００２１】
ところが従来から、燃料電池システムの起動の際に、水分除去器の内部状態（凝縮水の水枯れの有無）を確認することなく、単に水分除去器を適宜の弁により密閉にしたうえで、燃料電池の発電動作に伴って凝縮水が自然に溜められていた。
【００２２】
そうすると、仮に予期せぬ不具合（例えば、水分除去器を密閉する弁の故障）により、燃料電池システムの起動の際、水分除去器を開閉する弁を開弁させたまま、燃料電池の発電動作を開始すると、水分除去器の内部が水枯れ状態にあれば、燃料電池の発電で発生した可燃性のオフガスが外部に漏洩するという事態も危惧される。
【００２３】
本発明は、上記の事情に鑑みてなされたものであり、不活性ガスを使用することなく燃料電池システムの非常停止動作を適切に実行可能な燃料電池システムおよびその運転方法を提供することを目的とする。
【００２４】
また、燃料電池システムの起動の際に、オフガス中の水分を除去する水分除去器を確実に密閉可能な燃料電池システムおよびその運転方法を提供することも目的とする。
【課題を解決するための手段】
【００２５】
上記課題を解決するため、本発明に係る燃料電池システムは、原料ガスおよび水蒸気から水素リッチガスを生成する燃料処理器と、前記水素リッチガスを用いて発電する燃料電池と、前記燃料電池から排出された前記水素リッチガスを含むオフガスを燃焼することにより前記燃料処理器に熱を供給する熱供給手段と、前記熱供給手段に供給する前記オフガスから水分を除去し、かつ除去された前記水分からなる水を溜める水分除去器と、前記熱供給手段と前記水分除去器との間の前記オフガスの流路を開閉可能に構成された第１の開閉手段と、開口部を有し、内部に溜まった水を、前記開口部を介して外部に排出可能な水タンクと、を備え、前記開口部から排出された水が前記水分除去器に流入するように、前記開口部は前記水分除去器と連通しているシステムである。
【００２６】
これにより、燃料電池システムの非常停止の際に、バーナの近傍において水分除去器とバーナとの間のガス連通を第１の開閉手段により切断することにより、燃料ガスの異常燃焼源としてのバーナにオフガス（可燃ガス）が漏れることを未然に防止できる。また、燃料電池システムの起動の際には、オフガス中の水分を除去する水分除去器を確実に密閉可能なように、開口部を介して所定量の水を水タンクから送出できる。
【００２７】
ここで、前記水分除去器と前記開口部との間を連通する第１の通路を開閉可能に構成された第２の開閉手段を備えても良い。
【００２８】
これにより、第２の開閉手段も閉めることにより、水分除去器の内部と第１の通路を連通する部分に、水による水封と第２の開閉手段による閉弁といった２重シールが施され、水分除去器からオフガスを外部に漏洩させることが確実に防止でき好適である。
【００２９】
また、前記第１の通路は、前記開口部と前記第２の開閉手段との間で上下方向に延びる上下延在部を有しても良い。
【００３０】
これにより、水タンクに内在する水を水分除去器に向けてその自重により簡易的に供給可能になる。
【００３１】
また、前記水分除去器から排出された水を導く凝縮水タンクと、水中に含有された不純物を除去する不純物除去手段と、前記凝縮水タンクに溜まった水を、前記不純物除去手段を通過させた後、前記水タンクに供給する水供給手段と、を備えた燃料電池システムであっても良い。
【００３２】
こうすると、水タンクに存在する純水が、不純物により汚染されなくなる。
【００３３】
また、前記水分除去器に溜まった水の水位を検知する水位検知手段を備えても良い。
【００３４】
この水位検知手段により、燃料電池システムの起動時間の短縮や起動エネルギーロス低減を図りつつ、燃料電池システムの起動の際に、水分除去器に必要かつ最低限の水量が供給される。
【００３５】
また、前記熱供給手段による前記オフガスの燃焼から発生した燃焼ガスを、大気に放出するための排気口と、前記上下延在部の途中と連通して、前記排気口を介して大気に開放されるように構成された第２の通路と、を備えても良い。
【００３６】
こうすると、燃料電池システムの非常停止の際に、燃焼ファン（熱供給手段を介して）から送風される空気を、この排気口に送り込み、燃料電池システムの内部の可燃性ガスをこの空気により可燃範囲外に希釈させ排出できる。
【００３７】
また、前記第２の通路は、前記上下延在部の途中から水平方向に延びた部分を有すても良い。
【００３８】
これにより、水タンクの開口部から第１の通路を流れ落ちる水が、第２の通路の水平部分によりこの第２の通路の方向に流れることを回避できる。
【００３９】
また、前記水分除去器から排出された前記水を導く凝縮水タンクを備え、前記第２の通路は、前記水平方向に延びた部分から前記凝縮水タンクに向けて下方に傾斜するように構成されても良い。
【００４０】
こうして、第１の通路の水平延在部や水除去手段に溜まった残留水が第１の通路の上下延在部を伝って圧力上昇する際には、この残留水を第２の通路の方向に流して凝縮水タンクに戻すことができ、残留水が直接に水タンクに供給されるという事態を回避でき、これにより、水タンク内の純水が、残留水に含有された不純物イオンにより汚染されずに好適である。
【００４１】
また、前記第２の開閉手段は、無通電時に開弁するノーマルオープン型の電磁弁であっても良い。
【００４２】
これにより、停電等の不測の事態の際に、第２の開閉手段は、補助電源を必要とすることなく自動的に開いて、第１の通路が圧力リリーフ装置として適切に機能し得る。
【００４３】
また、前記燃料電池は、前記水素リッチガスと酸化剤ガスを用いて発電するものであり、前記酸化剤ガスを前記燃料電池に供給する酸化剤供給手段を備え、前記酸化剤供給手段により前記燃料電池に供給され、前記燃料電池の内部で消費されずに外部に排出された酸化剤ガスが、前記排気口に導かれる燃料電池システムであっても良い。
【００４４】
こうすると、燃料電池システムの非常停止の際に、酸化剤供給手段から送風される酸化剤ガスを、この排気口に送り込み、燃料電池システムの内部の可燃性ガスをこの空気により可燃範囲外に希釈させ排出できる。
【００４５】
ここで、前記燃料電池システムの運転方法であって、前記水分除去器に前記水タンクの前記開口部から所定量の水が溢れ出た後、上記記載の燃料電池システムの燃料電池による発電を開始させる燃料電池システムの運転方法であっても良い。
【００４６】
また、前記燃料電池システムは、前記水タンクに水を供給する水供給手段を備え、前記水供給手段を駆動させることにより前記水タンクにある水が前記開口部から溢れ出る燃料電池システムの運転方法であっても良い。
【００４７】
また、前記燃料電池システムの運転方法であって、前記燃料電池システムは、前記水タンクに水を供給する水供給手段と、前記水分除去器の内部に溜まった水の水位を検知する水位検知手段と、を備え、前記水位検知手段から得られた水位が所定の閾値以下であれば、前記第２の開閉手段が開かれ、前記水供給手段を駆動させることにより、前記水分除去器に向けて、前記水位が前記閾値を超えるまで、前記開口部から水が溢れ出て、その後、上記記載の燃料電池システムの燃料電池による発電を開始させる燃料電池システムの運転方法。
【００４８】
このような燃料電池の運転方法によれば、オフガス中の水分を除去する水分除去器の内部の水枯れという状況を未然に防止して、その内部を確実に密閉可能にできる。
【発明の効果】
【００４９】
本発明によれば、活性ガスを使用することなく燃料電池システムの非常停止動作を適切に実行可能な燃料電池システムおよびその運転方法が得られる。
【００５０】
また本発明によれば、オフガス中の水分を除去する水分除去器を確実に密閉可能な燃料電池システムおよびその運転方法も得られる。
【発明を実施するための最良の形態】
【００５１】
以下、本発明の実施の形態１、２について、図面を参照しつつ説明する。
【００５２】
なお、図１および図２において、原料ガスまたは燃料ガス（オフガス）のガス流れが、矢印を付した太い実線で示され、空気の流れが、矢印を付した太い点線で示され、燃焼ガスの流れが、矢印を付した太い一点鎖線で示され、水の流れが、矢印を付した太い二点鎖線で示され、制御装置１０に送受される信号は、矢印を付した細い点線で示されている。
【００５３】
（実施の形態１）
図１は、本発明の実施の形態１による燃料電池システムの構成例を示したブロック図である。
【００５４】
この燃料電池システム５０は主として、還元剤ガス（水素リッチな燃料ガス）および酸化剤ガス（空気）を消費して発電する燃料電池１２と、燃料電池１２によって発電した直流電力を交流電力に変換するインバータ１４と、燃料電池１２のアノード１２ａに燃料ガスを供給する燃料処理器１１と、燃料電池１２のカソード１２ｃに酸化剤ガス（空気）を供給する空気ブロア１３（酸化剤供給手段）と、燃料電池１２のアノード１２ａに連通する内部燃料ガス流路の出口ポート４３から排出され、燃料電池１２の内部で消費されなかった残余の燃料ガス（オフガス）中に含有された水分を除去して得られた水３１を、所定の水位３１ｆに保つように一時的に貯蔵する水分除去器１５と、空気取入口（図示せず）から空気を取り込むと共にこの空気とオフガスとを混合し燃焼して燃料処理器１１に熱を供給するバーナ２０（熱供給手段）と、燃料処理器１１に都市ガスや天然ガス等の原料ガスを供給する原料ガス供給手段１９と、原料ガス供給手段１９と燃料処理器１１とを連結する配管に設置され、燃料電池システム５０のガス配管内のガス圧を検知する圧力検知手段Ｇと、原料ガス供給手段１９と燃料処理器１１との間の配管に水を第１のポンプＰ1により水配管８１を介して圧送供給するため、所定量以上の水を貯蔵する水タンク７１と、バーナ２０により発生した燃焼ガスを外部（大気）に放出するための排気口２２と、水タンク７１に水を第２のポンプＰ2により圧送供給するため、水分除去器１５から排出された水を溜める凝縮水タンク７３と、凝縮水タンク７３から水タンク７１に水を圧送する際にこの水に含有された不純物イオンを除去するイオン交換手段としての不純物除去手段７４と、によって構成されている。
【００５５】
なお、後記のように凝縮水タンク７３に導かれたオフガスを排気口２２から外部に排出させるため、凝縮水タンク７３をこの排気口２２の近傍に配置させることが望ましい。
【００５６】
燃料処理器１１は通常、原料ガスと水蒸気から水蒸気改質反応によって改質ガスを生成する改質器（図示せず）と、水蒸気と一酸化炭素ガスを水素ガスと二酸化炭素ガスにシフト反応させる変成器（図示せず）と、ＣＯ選択酸化で一酸化炭素濃度を約１０ｐｐｍ以下に低濃度化させる選択酸化器（図示せず）を内蔵している。
【００５７】
このため、改質器には改質反応を促進する改質触媒体（図示せず）があり、この改質触媒体への反応熱供給用の熱供給手段として、上記のバーナ２０が設置され、バーナ２０の内部の燃料ガスを燃焼ファン２１から送風される空気によって可燃濃度範囲に希釈し混合した後、この混合ガスをバーナ２０の内部で燃焼させて生成した高温の燃焼ガスとの熱交換によって改質触媒体は加熱される。なお、改質触媒体と熱交換した燃焼ガスは、排気口２２から大気中に放出される。
【００５８】
ここで、水分除去器１５によって水分除去されたオフガスをバーナ２０に導く燃焼用燃料ガス配管４０の途中には、これを開閉するガス配管開閉手段１８（第１の開閉手段）が配置されている。ガス配管開閉手段１８は、無通電時に燃焼用燃料ガス配管４０を閉じるように動作するノーマルクローズ型の開閉手段であればよく、ここでは、通電時に燃焼用燃料ガス配管４０を開けかつ通電停止時に燃焼用燃料ガス配管４０を閉める開閉用の電磁弁で構成されている。これによって、停電等の不測の事態において、ガス配管開閉手段１８は、補助電源を必要とすることなく自動的に閉弁動作して、燃料電池システム５０の非常停止動作を適切に行うことができる。こうして、燃料電池システム５０の非常停止の際に、バーナ２０の近傍において水分除去器１５とバーナ２０との間のガス連通を切断することにより、燃料ガスの異常燃焼源としてのバーナ２０にオフガス（可燃ガス）が漏れることを未然に防止している。
【００５９】
次に、水分除去器１５とその周辺の通水系統の構成を、図１を参照して詳しく説明する。
【００６０】
水分除去器１５は、蓋と底を設けた筒状の容器であり、容器の略上半分の内部空間は、オフガスが通過する燃料ガスの通路３０に相当する領域であると共に、オフガスがこの通路３０を通過する際に、空気送風ファン（図示せず）から容器の表面に設けられた放熱フィン（図示せず）に送られる空気との熱交換によってオフガスの熱を効率的に放出させる熱交換部として機能する領域である。また、容器の略下半分の内部空間は、オフガス中に含有された水分の凝集によって集まった凝縮水３１を一時的に貯留する水貯留部に相当する領域である。
【００６１】
水分除去器１５のオフガス放熱効果により、オフガスの温度がその露点以下に下がって、オフガス中に含有された水蒸気が水滴として燃料ガス中に結露し、この水滴が集まって水分除去器１５の内部に凝縮水３１が貯留される。こうして、上記の通路３０によるオフガスの空冷効果に基づいてオフガス中に含有された水分の除去が促進されて、水分除去器１５の下流側のバーナ２０においてオフガス燃焼の妨げとなり得る水分を適切に排除できる。
【００６２】
なおここで、本願明細書における燃料ガス中に含有された水分には、燃料ガス中の微細な水滴および水蒸気の何れも含まれるものであり、要するにこの水分とは、燃料ガスの燃焼を妨げる水に関連した成分のことをいう。
【００６３】
また、通水パイプからなる第１の水通路配管８２（第１の通路の水平延在部）が、水分除去器１５の内部と凝縮水タンク７３とを連通するように配置されている。更に、水通路開閉手段７５（第２の開閉手段）および開閉弁７６が、この第１の水通路配管８２の途中に配置されている。
【００６４】
ここで、凝縮水３１の水位３１ｆが水分除去促進により上昇して、水分除去器１５におけるオフガス出入口を塞ぐという不具合を防止して、水分除去器１５の内部を適切に燃料ガスが通過できるように、凝縮水３１の水位３１ｆの上限３１ｕは決定され、仮に凝縮水３１の水位３１ｆがその上限３１ｕを超えた場合には水通路開閉手段７５および開閉弁７６を共に開けて、凝縮水３１は第１の水通路配管８２を流れて凝縮水タンク７３に導かれる。
【００６５】
また、凝縮水３１の水位３１ｆの下限も設定されており、これにより凝縮水３１は、水分除去器１５の内部の通路３０をオフガスが通流する際に、このオフガスの大気中への放出を防止するというガス封止機能を有することになる。この際に、水通路開閉手段７５も併せて閉めることにより、水分除去器１５の内部と第１の水通路配管８２を連通する部分に、凝縮水３１による水封と水通路開閉手段７５による閉弁といった２重シールが施され、水分除去器１５からオフガスを外部に漏洩させることが確実に防止できて好適である。
【００６６】
水通路開閉手段７５は、無通電時に第１の水通路配管８２を開くように動作するノーマルオープン型の開閉手段であれば良く、ここでは、通電時に第１の水通路配管８２を閉じてかつ通電停止時に第１の水通路配管８２を開く開閉用の電磁弁で構成されている。
【００６７】
これによって、停電等の不測の事態の際に、水通路開閉手段７５は、補助電源を必要とすることなく自動的に開いて、第１の水通路配管８２が、後記のとおり、圧力リリーフ装置として適切に機能し得る。
【００６８】
なお、凝縮水３１の水位３１ｆは、水分除去器１５に設置された水位検知手段３３から出力される検知信号に基づき制御装置１０によりコントロールされている。水位検知手段３３として、フロート式のレベルスイッチが使用され、電磁式オンオフスイッチの信号によって凝縮水３１の水位３１ｆが検知される。
【００６９】
水タンク７１は、壁部に開口部７２が設けられ、この壁部に囲まれた内部空間にある水を、開口部７２を介して外部に排出（オーバーフロー）可能に構成され、これにより、水タンク７１に所定量以下の水が溜まるように構成されている。
【００７０】
通水パイプからなる第２の水通路配管８３（第１の通路の上下延在部）は、水通路開閉手段７５と開閉弁７６との間の第１の水通路配管８２から分岐して略垂直方向（上下方向）に延び、水タンク７１の開口部７２に連通するように配置されている。
【００７１】
こうして、水タンク７１の内部から開口部７２を介してオーバーフローした水が、その自重により簡易に下方の第１の水通路配管８２に流れ込み、ひいてはこの水が水通路開閉手段７５を開くことにより水分除去器１５の内部に流れ込む。
【００７２】
また、通水パイプからなる第３の水通路配管８４（第２の通路）は、第２の水通路配管８３の途中から分岐して一旦水平に延び、そこから下方に傾斜して延びて、凝縮水タンク７３に至るように構成されている。
【００７３】
これにより、水タンク７１の開口部７２から第２の水通路配管８３を流れ落ちる水が、この第３の水通路配管８４の方向に流れることを第３の水通路配管８４の水平部分により回避できる。
【００７４】
また逆に、第１の水通路配管８２や水除去手段１５に溜まった残留水が第２の水通路配管８３を伝って上昇する際には、この残留水を第３の水通路配管８４の方向に流して凝縮水タンク７３に戻すことができ、残留水が直接に水タンク７１に供給されるという事態を回避でき、これにより、水タンク７１内の純水が、残留水に含有された不純物イオンにより汚染されずに好適である。
【００７５】
更に、通水パイプからなる第４の水通路配管８５は、凝縮水タンク７３と水タンク７１とを連通するように配置され、この第４の水通路配管８５の途中に、既に述べたように第２のポンプＰ2と不純物除去手段７４とが配置されている。
【００７６】
なお制御装置１０は、空気ブロア１３や燃焼ファン２１の動作を制御してカソード１２ｃやバーナ２０に送る空気量を調整すると共に、原料ガス供給手段１９に内蔵される流量調整弁（図示せず）と開閉用電磁弁（図示せず）の開閉動作を制御して燃料処理器１１に送る原料ガスの供給量を適切に調整している。
【００７７】
また、制御装置１０は、第１および第２のポンプＰ1、Ｐ2の動作、水通路開閉手段７５および開閉弁７６の開閉動作を制御して、燃料処理器１１に送る水量および水分除去器１５の内部に溜まる水位３１ｆ並びに水タンク７１の水位を調整している。
【００７８】
更に制御装置１０は、圧力検知手段Ｇ、水位検知手段３３、温度センサ（図示せず）および流量計（図示せず）等から検知信号を受け取り、この検知信号に基づいて適切に燃料電池システム５０の動作を制御している。
【００７９】
次に、以上のように構成された燃料電池システム５０の通常運転の動作（具体的には、システム起動動作、発電動作およびシステム停止動作）を、図１を参照して説明する。
【００８０】
最初に、この燃料電池システム５０の起動の動作を述べる。
【００８１】
燃料電池システム５０の起動の際に、燃料電池システム５０の動作条件によっては凝縮水３１が水分除去器１５の内部に溜められてない状態も想定される。このような状態のまま、仮に燃料電池システム５０による発電動作が実行されると、燃料電池１２から排出され、水分除去器１５に送られたオフガスが、第１の水通路配管８２を介して外部に放出する可能性もある（もっとも、水通路開閉手段７５が適切に閉弁されていれば、この事態は回避できる。）。
【００８２】
このため、燃料電池システム５０の運転開始指令がシステムに与えられると、制御装置１０は、水位検知手段３３から出力される信号に基づき水分除去器１５に内在する凝縮水３１の水位３１ｆがその閾値を超えているか否かを判定する。
【００８３】
なおここで、凝縮水３１の水位３１ｆの閾値とは、水分除去器１５の通路３０を流れるオフガスを凝縮水３１により水封止可能な水位であり、この閾値は第１の水通路配管８２と水分除去器１５とを接続する箇所に依存して変わる。例えば、第１の水通路配管８２と水分除去器１５とを接続する箇所が水分除去器１５の底面であれば、水分除去器１５の底面に凝縮水３１が僅かでも張られれば、この状態で凝縮水３１の水位３１ｆは閾値に達したと言える。
【００８４】
そして、仮に水分除去器１５に内在する凝縮水３１の水位がその閾値以下であれば、制御装置１０は、燃料電池システム５０の発電動作を開始させる前に、第２のポンプＰ2を作動させて、不純物除去手段７４により不純物イオンを除去された純水を一旦、水タンク７１に圧送供給させる。
【００８５】
水タンク７１の内部が、所定量の純水に満たされると、第２のポンプＰ2の更なる水供給動作により水タンク７１の開口部７２から水が溢れて、こうして溢れた水を、水通路開閉手段７５を開くことにより第２の水通路配管８３および第１の水通路配管８２を通って水分除去器１５の内部に注入させる。そして、水位３１ｆの閾値を超えたことを水位検知手段３３により検知すると、この注入を停止させる。
【００８６】
こうした燃料電池システム５０の起動動作によれば、オフガス中の水分を除去する水分除去器１５の内部の水枯れという状況を未然に防止して、その内部を確実に密閉可能にできる。そして燃料電池システム５０の起動の際に、水分除去器１５に内在する凝縮水３１の多寡が、水位検知手段３３に基づき制御装置１０により自動的に検知されたうえで、その検知結果に応じて、第２のポンプＰ2による水タンク７１を介した水分除去器１５への水供給動作が自動的に実行され、これにより、燃料電池システム５０の起動時間の短縮や起動エネルギーロス低減を図りつつ、燃料電池システム５０の起動時に水分除去器１５に必要かつ最低限の水量が供給される。
【００８７】
勿論、上記の水位検知手段３３に頼ることなく、第２のポンプＰ2の水供給量、水タンク７１の容積、第１および第２の水通路配管８２、８３の容積、水分除去器１５の容積およびこれらの残存水量を事前に求めておけば、理論的には凝縮水タンク７３から排出する必要かつ最低限の水量は算出できるが、このような方法は煩雑であり、各数値の誤差もあって実用的ではない。
【００８８】
次に、この燃料電池システム５０の発電動作を説明する。
【００８９】
燃料電池システム５０の発電期間中には、燃料処理器１１の内部温度を約７００℃に維持した状態で、原料ガス供給手段１９から供給された原料ガスと水タンク７１から供給された水（水蒸気）をもとに、燃料処理器１１（改質器）の改質反応により水素リッチな燃料ガスが生成される。燃料処理器１１から排出された燃料ガスは、燃料電池１２のアノード１２ａに送り込まれる一方、空気ブロア５から送出される空気は、燃料電池１２のカソード１２ｃに送り込まれる。
【００９０】
こうして燃料電池１２の内部において、燃料ガス（水素ガス）と空気（酸素ガス）を消費して発電が行われる。
【００９１】
その後、燃料電池１２の発電によって消費されなかった残余の燃料ガスは、オフガスとして水分除去器１５へ送られた後、この水分除去器１５によってオフガス中に含有された水分が除去される一方、水分除去器１５の内部に凝縮水３１が溜められる。
【００９２】
そして、水分除去器１５を通過することにより適切に水分除去された乾燥状態のオフガスが、燃焼用燃料ガスとして燃焼用燃料ガス配管４０を介して開弁状態のガス配管開閉手段１８を通過してバーナ２０に送られる。バーナ２０では、このオフガスを燃焼ファン２１から送風される空気と混合して、この混合ガスを燃焼させることによって高温の燃焼ガスが発生する。この燃焼ガスの熱は、燃料処理器１１の改質触媒体の温度維持の熱源として利用される。
【００９３】
なお、燃料処理器１１（改質触媒体）に熱を供与した燃焼ガスは、排気口２２を介して大気に放出され、燃料電池１２の発電によって消費されなかった残余の空気も大気中に放出される。
【００９４】
ここで、水通路開閉手段７５を閉めることにより、水分除去器１５の内部と第１の水通路配管８２を連通する部分が、凝縮水３１による水封と水通路開閉手段７５による閉弁から２重にシールされる一方、燃料電池１２の発電動作に伴って水分除去器１５に時々刻々と溜まり続ける凝縮水３１は、水分除去器１５の底面に配置された水排出用電磁弁（図示せず）の開閉動作を定期的に反復することによって外部に排出され、これによって凝縮水３１が溜まり過ぎて、凝縮水３１により燃料ガスの通路３０が塞がれることが防止されている。
【００９５】
なお、燃料処理器１１および燃料電池１２並びに水分除去器１５の内圧は、原料ガス供給手段１９と燃料処理器１１とを連通する圧力検知手段Ｇから出力される検知信号に基づいて制御装置１０により適切に制御されている。
【００９６】
次に、燃料電池システム５０の通常のシステム停止の動作を説明する。
【００９７】
燃料電池システム５０の運転停止指令がシステムに与えられると、燃料電池１２から得られる直流電力を交流電力に変換するインバータ１４の電力負荷系統に対する出力が自動的に停止すると共に、空気ブロア１３および燃焼ファン２１の動作も停止する。同時に、第１のポンプＰ1の作動が停止され、かつ原料ガス供給手段１９のガス供給弁が閉じられて、燃料処理器１１に対し、更なる水および原料ガスの供給が停止する。
【００９８】
また、燃料電池システム５０のシステム停止直後、燃料電池システム５０に残留する未反応の原料ガスの反応が進むことにより、燃料ガスを含む可燃性ガスの体積膨張に起因してバーナ２０に流れ込んだ可燃性ガスは、このバーナ２０の内部で燃焼処理され、これにより発生した燃焼ガスは、排気口２２を介して外部に放出される。
【００９９】
そして、燃料電池システム５０のシステム停止から所定の期間経過後、可燃性ガスの体積膨張が止むことにより、可燃性ガスのバーナ２０への流入が無くなれば、ガス配管開閉手段１８を閉め、これにより、燃料電池システム５０のシステム停止動作が正常に完了する。
【０１００】
次に、燃料電池システム５０における停電時の非常停止の動作を、図１を参照して説明する。
【０１０１】
燃料電池システム５０の停電時には、燃料電池１２から得られる直流電力を交流電力に変換するインバータ１４の電力負荷系統に対する出力が自動的に停止すると共に、空気ブロア１３および燃焼ファン２１の動作も停止する。この場合、同時に、制御装置１０が、何らかの補助電源から給電を受けて原料ガス供給手段１９の開閉用電磁弁およびガス配管開閉手段１８を速やかに閉弁させてもよいが、このような電磁弁やガス配管開閉手段１８は、補助電源を用いることなく自動的に閉弁するように構成されていることが望ましい。
【０１０２】
そこで本実施の形態では、ガス配管開閉手段１８は、無通電時に燃焼用燃料ガス配管４０を閉じるように動作するノーマルクローズ型の開閉用電磁弁で構成されている。これにより、停電時においてガス配管開閉手段１８は自動的に閉弁動作して、別途、ガス配管開閉手段１８の動作用の補助電源を必要としない。
【０１０３】
こうすることで、燃料処理器１１並びに燃料電池１２のアノード１２ａ並びに水分除去器１５の内部並びにこれらを連結する配管の内部に充満する可燃性ガス（燃料ガスやオフガス）は、原料ガス供給手段１９とガス配管開閉手段１８の閉弁によって確実にそれらの機器の内部に密閉され、この可燃性ガスのバーナ２０への拡散を効果的に阻止できる。即ち、燃料電池システム５０の非常停止動作によれば、補助電源や不活性ガスを使用することなく、その内部に充満した燃料ガスがバーナ２０に向かって拡散し、バーナ２０に漏洩した燃料ガスが排気口１７からバーナ２０に向けて混入する空気と混ざり合ってバーナ２０の近傍において異常燃焼を発生するという事態を、ガス配管開閉手段１８を閉じることにより簡便かつ確実に防止してバーナ２０の近傍の異常燃焼の要因を根本的に解消できる。
【０１０４】
ここで燃料電池システム５０の内部は密閉された状態に維持され、これにより、燃料電池システム５０に残留する未反応の原料ガス反応が進むことにより、燃料ガスを含む可燃性ガスの体積膨張に起因して燃料電池システム５０の内部に急激な圧力上昇が引き起される可能性がある。
【０１０５】
そこで、このような可燃性ガスの体積膨張によってもたらされる燃料電池システム５０の急激な内圧上昇に適切に対応するため、燃料電池システム５０の通常の運転の際に、オフガスの封止弁として機能していた第１の水通路配管８２が、燃料電池システム５０の非常停止の際に、水通路開閉手段７５を開いて燃料電池システム５０の内圧を外部（大気中）に逃がす安全弁としての役割を果たす。
【０１０６】
なおここで、制御装置１０が、何らかの水通路開閉手段７５を速やかに開弁させてもよいが、この水通路開閉手段７５は、補助電源を用いることなく自動的に開弁するように構成されていることが望ましい。
【０１０７】
そこで本実施の形態では、水通路開閉手段７５は、無通電時に第１の水通路配管８２を開くように動作するノーマルオープン型の開閉用電磁弁で構成されている。これにより、停電時において水通路開閉手段７５は自動的に開弁動作して、別途、水通路開閉手段７５の動作用の補助電源を必要としない。
【０１０８】
こうして、水分除去器１５の内部に溜まった凝縮水３１および第１、第２の水通路配管８２、８３に内在する配管水は、可燃性ガスの体積膨張に起因する急激な水分除去器１５の内圧上昇によって、第３の水通路配管８４を通って凝縮水タンク７３に噴出する。そうすると、水分除去器１５の内部（オフガスの通路３０）は、第１〜第３の水通路配管８２、８３、８４および凝縮水タンク７３の内部空間並びに排気口２２を介して大気に連通する。すなわち第１の水通路配管８２は、第２および第３の水通路配管８３、８４および凝縮水タンク７３並びに排気口２２と相俟って、圧力逃がし通路として機能する。
【０１０９】
よって、燃料処理器１１や燃料電池１２の内部の可燃性ガス（例えば、オフガス）は、燃料電池１２のアノード１２ａと水分除去器１５とを連通する配管を経由して一旦、水分除去器１５の内部に流れ、その後は、この可燃性ガスは、図１に示した排気口２２の周辺部分６０のように、第３の水通路配管８４を通って排気口２２から大気中に放出させられる。こうして、燃料電池システム５０の内部の可燃性ガスの体積膨張に起因した高圧状態が速やかに解消し、その内圧を大気圧レベルにまで迅速に低下させ得る。
【０１１０】
同時に、燃焼ファン２１（もっとも停電時には補助電源でこの燃焼ファン２１を作動させる必要がある。）から送風される空気が、この排気口２２に送り込まれており、これにより、可燃性ガスをこの空気により可燃範囲外に希釈させ排出でき好適である。
【０１１１】
なおここで、本願発明者等は、上記の第１の水通路配管８２の水封止による圧力逃がし機構に替えて、市販の圧力リリーフ弁を水分除去器１５の内部に連通する配管の適所に設けてその圧力逃がし効果を検討した。
【０１１２】
市販の圧力リリーフ弁には破壊型の圧力リリーフ弁と復帰型の圧力リリーフ弁が存在するが、検討の結果、何れの圧力リリーフ弁も第１の水通路配管８２の水封止による圧力逃がし機構の代用品としては機能的に不充分であることが判明した。
【０１１３】
破壊型の圧力リリーフ弁では、非常停止毎に破裂板を交換することを要し、かつ燃料電池システム５０の保障耐圧（２０ｋＰａ程度；圧力検知手段Ｇにより検知）以下の圧力開放可能な破壊型のリリーフ弁が無い。
【０１１４】
復帰型の圧力リリーフ弁には、２０ｋＰａ以下の圧力開放可能なものが有るが、この復帰型の圧力リリーフ弁では、燃料電池システム５０の通常運転時の圧力（１０ｋＰａ程度；圧力検知手段Ｇにより検知）により水分除去器１５の内部を確実にシールさせることが困難であった。即ち、復帰型の圧力リリーフ弁のシール性を充分に確保するには、シール弁座の押圧力を大きくすることが必要である。このため、シール弁座の押荷重やシール弁座の径を可変して、圧力リリーフ弁の開放圧とシール性を検討したところ、上記保障耐圧以下に開放圧力を保ちつつ、適正なガス排出コンダクタンスを確保して水分除去器１５の内圧を迅速に下げ得る復帰型の圧力リリーフ弁を見出すことができなかった。
【０１１５】
よって、第１の水通路配管８２の水封止による圧力逃がし機構が、市販の圧力リリーフ弁に比べ、適正な開放圧力の確保および確実なシール性の保障の点から優れた特性を有すると言える。
【０１１６】
（実施の形態１の比較例）
第１の水通路配管８２の圧力逃がし効果を確認するために比較例として、水通路開閉手段７５を閉め、第１の水通路配管８２に圧力逃がし機能を発揮させない状況を意図的に形成するという診断テストを実行した。
【０１１７】
この診断テストの結果、未反応の可燃性ガスの体積膨張に起因した燃料電池システム５０の内圧が２００ｋＰにまで達した。そうすると、燃料電池システム１００の各継ぎ手や各シール部等が破損する可能性がある。
【０１１８】
（実施の形態２）
図２は、本発明の実施の形態２による燃料電池システムの構成例を示したブロック図である。図２において、図１と同じものには同一符号を付して、その説明を省略する。
【０１１９】
図２によれば、空気ブロア１３から燃料電池１２のカソード１２ｃに送出して、カソード１２ｃの内部で消費されなかった残余の空気を大気に放出することなく、この空気を排気口２２に導いている。なお、この残余の空気を排気口２２に導入することを除いて実施の形態２の構成および動作は、実施の形態１で説明した構成および動作と同じため、両者に共通する構成や動作の説明は省略する。
【０１２０】
燃料電池システム５０の非常停止の際に、実施の形態１で述べたように、可燃性ガスの体積膨張によってもたらされる燃料電池システム５０の急激な内圧上昇に適切に対応するため、燃料処理器１１や燃料電池１２の内部の可燃性ガスは、燃料電池１２のアノード１２ａと水分除去器１５とを連通する配管を経由して一旦、水分除去器１５の内部に流れる。その後、この可燃性ガスは、図２に示した排気口２２の周辺部分６０のように、第３の水通路配管８４を通って排気口２２から大気中に放出させられる。同時に、燃焼ファン２１および空気ブロア１３（もっとも停電時には補助電源でこの燃焼ファン２１や空気ブロア１３を作動させる必要がある。）から送風される空気が、この排気口２２に送り込まれ、これにより、この可燃性ガスをこれらの空気により可燃範囲外に希釈させ排出でき好適である。
【０１２１】
こうした実施の形態２による燃料電池システム５０の非常停止の動作によれば、仮に燃焼ファン２１および空気ブロア１３の一方が故障しても、可燃性ガスを適正に希釈することが可能である。
【産業上の利用可能性】
【０１２２】
本発明に係る燃料電池システムによれば、燃料電池システムの停電等の不測の事態による非常停止に対して適切かつ迅速な停止動作が行えて、例えば、家庭用の発電システムとして有用である。
【図面の簡単な説明】
【０１２３】
【図１】本発明の実施の形態１による燃料電池システムの構成例を示したブロック図である。
【図２】本発明の実施の形態２による燃料電池システムの構成例を示したブロック図である。
【図３】従来の燃料電池システムの構成例を示したブロック図である。
【符号の説明】
【０１２４】
１０        制御装置
１１        燃料処理器
１２        燃料電池
１２ａ      燃料電池のアノード
１２ｃ      燃料電池のカソード
１３        空気ブロア
１４        インバータ
１５        水分除去器
２０        バーナ
２１        燃焼ファン
２２        排気口
３０        オフガスの通路
３１        凝縮水
３１ｕ      凝縮水の水位の上限
３１ｆ      凝縮水の水位
３３        水位検知手段
４０        燃焼用燃料ガス配管
５０        燃料電池システム
６０        排気口の周辺部分
７１        水タンク
７２        開口部
７３        凝縮水
７４        不純物除去手段
７５        水通路開閉手段
７６        開閉弁
８１        水配管
８２        第１の水通路配管
８３        第２の水通路配管
８４        第３の水通路配管
８５        第４の水通路配管
【図１】
2006147264.tif 000003
【図２】
2006147264.tif 000004
【図３】
2006147264.tif 000005